(57)【要約】【課題】  二重構造を備えるメロディーマジックカップに関するもので、コップに注がれている内容物の温度及び量にしたがいメロディーと光を発散することで、利用者は内容物の温度及び量を把握することができ、更には楽しさを与えられるメロディーマジックカップを提供する。【解決手段】  外筒と内筒を一定の空間部を備えるよう結合し本体部を構成して、前記空間部にセンサ部と、センサの反応にしたがい電源を供給する電池と、前記センサから信号を受ける制御部と、前記制御部から信号を受けて特定メロディー信号を送るメロディーチップと、前記メロディーチップからくる信号を受けて音を出すスピーカ振動板とを備えて構成される。【選択図】      図２
2006055570.tif 000002
【特許請求の範囲】
【請求項１】
上部は開放されて下部は密閉された外筒と内筒を一定の空間部を備えるよう結合して本体部を形成し、前記本体部の一端部に取っ手部を設置して構成される二重カップにおいて、
前記空間部に内筒の底に設置される第１センサと、内筒の垂直面に互いに異なる高さで順次に形成される複数の第２センサと、前記センサ等の反応にしたがい電源を供給する電池と、前記センサ等から信号を受ける制御部と、前記制御部から信号を受けて特定のメロディー信号を送るメロディーチップと、前記メロディーチップからくる信号を受けて音を出すスピーカ振動板を設置し構成されたことを特徴とするメロディー音が鳴るマジックカップ。
【請求項２】
前記第１センサ及び第２センサは内筒面を貫通して設置される伝導体と伝導体の周囲を覆いカップ内部の液体がこぼれないよう密封する絶縁防水材（不導体）とからなり、液体物質の抵抗にしたがい反応することを特徴とする請求項１記載のメロディー音が鳴るマジックカップ。
【請求項３】
前記第１センサ及び第２センサはバイメタル型温度感知センサを使用し、液体物質の温度にしたがい反応することを特徴とする請求項１記載のメロディー音が鳴るマジックカップ。
【請求項４】
前記外筒は高光度ＬＥＤを設置して前記メロディーチップの残留電源を使用して発光させ、変温塗料で絵を印刷し液体物質の温度にしたがい絵が動くようにしたことを特徴とする請求項１記載のメロディー音が鳴るマジックカップ。
【請求項５】
前記外筒はステンレス材質を使用して内筒はプラスチック材質を使用し、前記外筒と内筒の締結部分を凸凹に加工しプラスチック材質の熱変換の特徴を利用し締結したことを特徴とする請求項１記載のメロディー音が鳴るマジックカップ。
【請求項６】
前記外筒と内筒が同質のステンレスを使用し、前記外筒と内筒の締結部分が二重ローリングで締結されることを特徴とする請求項１記載のメロディー音が鳴るマジックカップ。
【請求項７】
前記第１及び第２のセンサによりカップに注がれる液体物質の温度又は量によって作動させることを特徴とする請求項１記載のメロディー音が鳴るマジックカップ。
【請求項８】
前記取っ手部に録音専用マイクを設置して、前記空間部に録音専用チップを設置し、使用者が自身の音声を録音して出力できるようにしたことを特徴とする請求項１記載のメロディー音が鳴るマジックカップ。
【発明の詳細な説明】
【技術分野】
【０００１】
本発明は、本願の発明者が出願した二重メロディーマジックカップ（大韓民国特許登録番号１０−０４１２２５２）の改良発明である光と音が出る魔術カップに関するもので、より詳細にはカップに注がれた内容物の温度及び量を感知し反応させることにより使用者が内容物の状態を把握することができ、使用者に楽しみを与えられる光と音が出る魔術カップに関する。
【背景技術】
【０００２】
従来のステンレスカップは、図１に示すように、所定の直径を備え下部は閉鎖され上部は開放される本体部１を形成して、本体部１の一側面に取っ手２を設けて構成し、本体部内部に内容物を入れられるようになっている。
【０００３】
このようなステンレスカップは薄板加工が容易でなく、本体部１が比較的厚く形成されることからカップが重くて、本体部の表面に熱伝達がされず使用者が内容物の温度を把握することができず、使用時熱い内容物により火傷を負うことがあるという問題点があった。
【０００４】
また、透明の液体物質を入れる場合、カップのどこまで入ったのかがわからず液体物質をあふれさせる場合があり、液体物質を理由もなく捨てることになるという問題点があった。
【発明の開示】
【発明が解決しようとする課題】
【０００５】
本発明は前記のような従来の問題点を解決するために案出されたもので、その目的は内筒はプラスチックで外筒はステンレスを使用し形成したり、ステンレスで内、外筒を形成したりし前記内、外筒を一定空間を備えるよう結合させ、前記空間部に抵抗或いは温度を感知できるセンサを装着しカップに注がれる内容物の量及び温度にしたがってメロディーと光を発散することで、利用者が内容物の温度及び量を把握することができて、利用者に楽しみを与えられるメロディーマジックカップを提供することにある。
【課題を解決するための手段】
【０００６】
前記のような目的を達成して従来の欠点を除去するための課題を解決する本発明は、上部は開放されて下部は密閉された外筒と内筒を一定の空間部を備えるよう結合して本体部を形成し、前記本体部の一端部に取っ手を設置するが、前記空間部に内筒の底に設置される第１センサと、内筒の垂直面にしたがい互いに異なる高さで順次に形成される複数の第２センサと、前記センサの反応にしたがい電源を供給する電池と、前記センサから信号を受ける制御部と、前記制御部から信号を受け特定のメロディー信号を送るメロディーチップと、前記メロディーチップからくる信号を受け音を出すスピーカ振動板とを設置し構成されることを特徴とする。
【発明の効果】
【０００７】
上述した本発明は、カップに注がれた液体の温度及び量を感知しメロディーや特定の音声を出力して、外部に設置されたＬＥＤ及び変温塗料を使用した絵が光を発することで安全に使用することができて、有益さを与えることができる。また、本発明を企業ＰＲ用に使用する場合、広告効果を高められて、個人の記念日等に特定の人の声を録音した音が出るようにすることで、より記憶に残るようにした非常に有用な発明である。
【発明を実施するための最良の形態】
【０００８】
以下、本発明の実施例を添付図面を参照して詳細に説明する。
【０００９】
図２は本発明のメロディーマジックカップの断面図、図４は本発明のメロディーマジックカップの分解断面図である。上部は開放されて下部は密閉されたステンレス材質の外筒４と、底と一側壁面に互いに異なる高さで順次に形成された複数個の穴２１を形成したプラスチック材質の内筒３を一定の空間部１５を備えるよう結合し本体部２３を形成して、本体部２３一端部に取っ手２を形成し、空間部１５にプラスチック材質の内筒３底と壁面部に形成された穴２１にはさまるよう下端部に設置される第１センサである抵抗感知センサ６及び下部から上部に順次に形成されて伝導体１７に連結された第２センサである抵抗感知センサ１１と、センサ６、１１の反応にしたがい電源を供給する電池５と、センサ６、１１から信号を受ける制御部７と、制御部７から信号を受けて特定のメロディー信号を送るメロディーチップ８と、メロディーチップ８からくる信号を受けて音を出すスピーカ振動板９とを設置し構成される。
【００１０】
図３に示すように、内筒３に形成された穴２１にはめられる抵抗感知センサ６，１１は電極２２と前記電極を覆っている絶縁防水材（不導体）１９から構成され、前記電極終端部には銀めっき２０をし精巧なセンシングにして、人体に害がないようにする。
【００１１】
同時に、抵抗感知センサ６，１１は、下部に設置されたセンサ６と内筒３の壁面にしたがい設置されたセンサ１１が伝導体１７に通電可能に連結されていて、液体に浸かったセンサ１１がないと内筒３下端部に設置されたセンサ６と内筒壁面部に設置されたセンサ１１間の抵抗が最大となって、液体に浸かったセンサ１１が増えるほど抵抗値が減ることで夫々他の信号を制御部７に送る。即ち、カップ内部に液体物質がないと抵抗値が最大になり、カップ内部に液体物質がいっぱいに浸かっていると抵抗値が最小になるということを利用してカップ内部の液体量を感知する。
【００１２】
一方、外筒４と内筒３の結合のために外筒４の上下端部をくぼませて形成して、内筒３の上下端部は締結部を形成し、プラスチックの特徴である弾力を利用しはめ込み式に締結する。即ち、上下端部に凸凹を形成し締結する。
【００１３】
また、スピーカ振動板９は、増幅された音で外部に音が発散するよう増幅空間１６を備えて設置する。
【００１４】
また、外筒４には高光度ＬＥＤ１０を設置し、スピーカ振動板９が鳴る時、発生する残流電源を利用し発光させて、視聴覚的効果を楽しめるようにした。一方、高光度ＬＥＤ１０の周囲には外部の異物質が浸透されないようエポキシ接着剤を塗布する。
【００１５】
図５は本発明の他の実施例によるメロディーマジックカップの断面図として、上部は開放されて下部は密閉されたステンレス材質の外筒４と内筒３’を一定の空間部１５を備えるよう結合し本体部２３を形成して、本体部２３の一端部に取っ手２を設置するが、空間部１５に内筒３’底下部及び内筒３’壁面にしたがい設置される温度を感知できるセンサ６，１１と、センサ６、１１の反応にしたがい電源を供給する電池５と、センサ６、１１から信号を受ける制御部７と、制御部７から信号を受けて特定のメロディー信号を送るメロディーチップ８及び録音専用チップ１３と、メロディーチップ８及び録音専用チップ１３からくる信号を受けて音を出すスピーカ振動板９とを設置して、取っ手２に録音専用マイク１４を設置して、録音専用マイクをカバーできるようマイク保護カバー１８を設置して構成される。
【００１６】
センサ６，１１はバイメタルが内蔵された温度センサとしてカップに注がれた内容物の温度にしたがい作動されるようにする。一方、内筒３’壁面にしたがい設置されるセンサ１１は伝導体１７に通電可能に連結されていて、内筒３’に浸かる液体物質の高さを感知するために設置される。即ち、液体物質がいっぱいに浸かると内筒３’の壁面にしたがい最上段に設置されたセンサが温度を感知し制御部に信号を送ることで液体物質の高さを感知する。
【００１７】
前記温度センサを使用する場合、上述の実施例で説明したマジックカップの場合のように内筒壁面に穴をあける必要がないため内筒をステンレス等の金属材を使用する場合に使用する。
【００１８】
一方、内筒３’と外筒４の結合のために前記内筒は２段に成形して成形された内筒３’と同一の円形で外筒４を加工し外筒４と内筒３’を油圧プレスの圧力を利用しはさむように締結して、内筒と外筒の成形後残った縁部分はローラを使用し丸い形状で同時ローリングし内筒と外筒の間に形成された空間部１５を完全に密閉させる。
【００１９】
取っ手２に設置された録音専用マイク１４と空間部１５に設置された録音専用チップ１３は、使用者が直接自分の音声を録音して出力できるようにするためのもので、使用者は自分の音声を録音しカップに特定温度の液体が浸かると自動的に音をきくことができる。
【００２０】
また、外筒４と内筒３’の一定の空間部に温度伝導体１２を設置して、伝導体１２が設置された部分の外筒４に変温塗料をスクリーン印刷或いは電子印刷しカップ内部の温度にしたがい絵が動き、一方前記外筒に高光度ＬＥＤ１０を設置してスピーカ振動板９が鳴る時に発生する残流電源を利用し発光させて前記印刷された絵と高光度ＬＥＤ１０及びスピーカ振動板９が同時に作動するようにし幻想的な雰囲気を演出させる。
【００２１】
以下、前記のように構成されたマジックカップの作用を詳細に説明すると次の通りである。
【００２２】
まず、プラスチック材質の内筒３を使用して内筒３に形成された複数の穴２１に抵抗感知センサ６，１１を下部から上部に順次に設置し形成されたマジックカップは、カップに液体がない場合には抵抗が最大となり、抵抗感知センサ６，１１は制御部７に作動信号を送らない。カップに液体が入れられ下部から上部に満たされると、抵抗値が変化して抵抗感知センサ６、１１は制御部７に特定信号を送る。制御部７はセンサ６、１１からくる信号に基いてメロディーチップ８に特定信号を送り、メロディーチップ８はスピーカ振動板９を通じて特定の音を出力する。例えば、前記カップに液体がいっぱいに浸かり電極が全部水に沈んだ場合、“カップに水がいっぱいです。”或いは“水があふれます。”等の音が出力される。また、外筒に設置された高光度ＬＥＤ１０は光を発散する。
【００２３】
一方、外筒４と内筒３’をステンレス材質を使用して、バイメタル型温度感知センサ６，１１を装着したマジックカップの場合には、カップの中に液体がない場合作動しないでいるが、液体をカップに注ぐと液体の温度によりカップ下部に設置されたバイメタル型温度感知センサ６が作動して、センサ６は制御部７に信号を送るようになる。また、液体物質の量が多くなると内筒３壁面にしたがい設置された温度感知センサ１１が作動してセンサ１１は制御部７に信号を送る。制御部７はメロディーチップ８に信号を送り特定メロディーをスピーカ振動板９を通じて出力する。また、外筒４に設置された高光度ＬＥＤ１０は光を発散して、外筒４に印刷された変温塗料は模様が変化する。
【００２４】
本発明は上述した特定の望ましい実施例に限定されず、請求の範囲で請求する本発明の要旨を逸脱せず当該発明が属する技術分野で通常の知識を備える者なら誰でも多様な変形実施が可能なことはもちろん、そのような変形は請求範囲に記載の範囲内に入る。
【図面の簡単な説明】
【００２５】
【図１】従来の一般的なカップの断面図である。
【図２】本発明のメロディーマジックカップの断面図である。
【図３】本発明のメロディーマジックカップに形成された電極部分の拡大断面図である。
【図４】本発明のメロディーマジックカップの分解断面図である。
【図５】本発明の他の実施例によるメロディーマジックカップの断面図である。
【符号の説明】
【００２６】
２    カップの取っ手
３、３’  内筒
４    外筒
５    電池
６    第１センサ
７    制御部
８    メロディーチップ
９    スピーカ振動板
１０  高光度ＬＥＤ
１１  第２センサ
１２  内部温度の伝導体
１３  録音専用チップ
１４  録音専用マイク
１５  内筒と外筒の間の空間部
１６  スピーカ増幅空間
１７  伝導体
１８  録音専用マイク保護カバー
１９  絶縁防水材（不導体）
２０  銀めっき
２１  内筒に形成された穴
２２  電極
２３  カップ本体部
【図１】
2006055570.tif 000003
【図２】
2006055570.tif 000004
【図３】
2006055570.tif 000005
【図４】
2006055570.tif 000006
【図５】
2006055570.tif 000007